(57)【特許請求の範囲】
【請求項１】
容器本体と、上記容器本体の首部に着脱自在に取付けられた蓋体を備え、上記容器本体の内部に、発泡成分を含有した洗浄液が収容され、上記蓋体の内部に、容器本体内に連通する液体通路が形成されているとともに、上記液体通路から複数の分岐路が分岐し、各分岐路の先端部に対応する上記蓋体の部分にそれぞれノズルが設けられ、上記蓋体に、上記液体通路の開閉を行う手動式の開閉弁が取付けられ、この開閉弁が、上記蓋体の天井壁に上下摺動自在に取付けた押しボタンと、弁体とを有し、上記蓋体の天井壁と押しボタンの天井壁との間にスプリングを配設して上記押しボタンを上方に弾圧付勢し、上記弁体が、上記液体通路に上下方向に摺動自在に配設された棒状円柱部と、この棒状円柱部の下端部から下側に向かって拡がる円錐台状部とからなり、上記スプリングの弾圧付勢力により押しボタンが上方に押圧されている状態では、上記液体通路の下端部内周面に弁体の円錐台状部の外周面が当接し、上記スプリングの弾圧付勢力に抗して押しボタンを下方に押圧すると、弁体が下降し、上記液体通路の下端部内周面から弁体の円錐台状部の外周面が離れて開弁するように構成されていることを特徴とする携帯用洗浄器。
【請求項２】
上記複数のノズル口のうち、少なくとも１つのノズル口から洗浄液が筋状に噴出され、他のノズル口から洗浄液が旋回流状に噴出される請求項１記載の携帯用洗浄器。
【請求項３】
上記各分岐路とこれに対応する各ノズル内の液体通路とを連通させる状態と連通させない状態に切換える切換え手段を備えている請求項１記載の携帯用洗浄器。
【請求項４】
容器本体と、上記容器本体の首部に着脱自在に取付けられた蓋体を備え、上記容器本体の内部に、発泡成分を含有した洗浄液が収容され、上記蓋体の内部に複数の液体通路が形成されているとともに、各液体通路の先端部に対応する上記蓋体の部分にノズルが設けられ、上記蓋体に、上記各液体通路の開閉を行う手動式の開閉弁が取付けられ、この開閉弁が、上記蓋体の天井壁に上下摺動自在に取付けた押しボタンと、弁体とを有し、上記蓋体の天井壁と押しボタンの天井壁との間にスプリングを配設して上記押しボタンを上方に弾圧付勢し、上記弁体が、上記液体通路に上下方向に摺動自在に配設された棒状円柱部と、この棒状円柱部の下端部から下側に向かって拡がる円錐台状部とからなり、上記スプリングの弾圧付勢力により押しボタンが上方に押圧されている状態では、上記液体通路の下端部内周面に弁体の円錐台状部の外周面が当接し、上記スプリングの弾圧付勢力に抗して押しボタンを下方に押圧すると、弁体が下降し、上記液体通路の下端部内周面から弁体の円錐台状部の外周面が離れて開弁するように構成されていることを特徴とする携帯用洗浄器。
【発明の詳細な説明】
【０００１】
【発明の属する技術分野】
本発明は、尻部の洗浄液等各種の洗浄液を吐出する携帯用洗浄器に関するものである。
【０００２】
【従来の技術】
最近、便所等で用を足したのち尻部（肛門およびその周囲をいう、以下同じ）を拭く際に、トイレットペーパー等の紙で拭くのではなく、水で洗浄できるようにした洗浄器が見受けられる。このような水による洗浄は、便器に、尻部にめがけて水を飛ばせるようにした装置を取付けることで行えるものであり、尻部をきれいに洗うことができるうえ、紙で尻部を拭くよりも気持ち良く、しかも尻部の肌等を傷めることもないことから、各種施設や一般の家庭にも随分と普及してきている。
【０００３】
【発明が解決しようとする課題】
ところが、上記の装置が取付けられていない便器もまだまだ多くあり、そのような便器で用を足す場合には、トイレットペーパー等の紙で尻部を拭かなければならないため、水で尻部を洗浄することになれた人にとっては、不快感や不潔感を感じることがよくある。そこで、どこにでも持ち運ぶことができ、手軽に尻部等を水で洗浄することができる携帯式の洗浄装置が要望されており、このようなものとして電動式の洗浄装置が提案されている。しかしながら、この電動式の洗浄装置は、構造が複雑で、しかも、高価であるという問題がある。そこで、携帯用として用いることができ、しかも、構造が簡単で、安価な洗浄装置の実現が強く要望されている。
【０００４】
本発明は、このような事情に鑑みなされたもので、構造が簡単で、安価であるうえ、複数のノズルを有する携帯用洗浄器の提供をその目的とする。
【０００５】
【課題を解決するための手段】
上記目的を達成するため、本発明の携帯用洗浄器は、容器本体と、上記容器本体の首部に着脱自在に取付けられた蓋体を備え、上記容器本体の内部に、発泡成分を含有した洗浄液が収容され、上記蓋体の内部に、容器本体内に連通する液体通路が形成されているとともに、上記液体通路から複数の分岐路が分岐し、各分岐路の先端部に対応する上記蓋体の部分にそれぞれノズルが設けられ、上記蓋体に、上記液体通路の開閉を行う手動式の開閉弁が取付けられ、この開閉弁が、上記蓋体の天井壁に上下摺動自在に取付けた押しボタンと、弁体とを有し、上記蓋体の天井壁と押しボタンの天井壁との間にスプリングを配設して上記押しボタンを上方に弾圧付勢し、上記弁体が、上記液体通路に上下方向に摺動自在に配設された棒状円柱部と、この棒状円柱部の下端部から下側に向かって拡がる円錐台状部とからなり、上記スプリングの弾圧付勢力により押しボタンが上方に押圧されている状態では、上記液体通路の下端部内周面に弁体の円錐台状部の外周面が当接し、上記スプリングの弾圧付勢力に抗して押しボタンを下方に押圧すると、弁体が下降し、上記液体通路の下端部内周面から弁体の円錐台状部の外周面が離れて開弁するように構成されている携帯用洗浄器を第１の要旨とし、容器本体と、上記容器本体の首部に着脱自在に取付けられた蓋体を備え、上記容器本体の内部に、発泡成分を含有した洗浄液が収容され、上記蓋体の内部に複数の液体通路が形成されているとともに、各液体通路の先端部に対応する上記蓋体の部分にノズルが設けられ、上記蓋体に、上記各液体通路の開閉を行う手動式の開閉弁が取付けられ、この開閉弁が、上記蓋体の天井壁に上下摺動自在に取付けた押しボタンと、弁体とを有し、上記蓋体の天井壁と押しボタンの天井壁との間にスプリングを配設して上記押しボタンを上方に弾圧付勢し、上記弁体が、上記液体通路に上下方向に摺動自在に配設された棒状円柱部と、この棒状円柱部の下端部から下側に向かって拡がる円錐台状部とからなり、上記スプリングの弾圧付勢力により押しボタンが上方に押圧されている状態では、上記液体通路の下端部内周面に弁体の円錐台状部の外周面が当接し、上記スプリングの弾圧付勢力に抗して押しボタンを下方に押圧すると、弁体が下降し、上記液体通路の下端部内周面から弁体の円錐台状部の外周面が離れて開弁するように構成されている携帯用洗浄器を第２の要旨とする。
【０００６】
すなわち、本発明の携帯用洗浄器は、使用時には、複数のノズルのうち、所定のノズルのノズル口を尻部等の目標に向け、その状態で、手動により開閉弁を開弁することが行われる。これにより、容器本体の内部の洗浄液が、この洗浄液から発泡したガスの圧力により押圧されて、液体通路および分岐路を通って上記所定のノズルのノズル口から噴出し、尻部等の目標に向かって吐出され、例えば尻部をきれいに洗浄する。このように、本発明の携帯用洗浄器は、発泡成分を含有した洗浄液が収容された容器本体と、複数のノズルを設けた蓋体とからなり、複数のノズルのうち、所定のノズルのノズル口を尻部等の目標に向け、蓋体に取付けた開閉弁を手動で開弁するだけで、例えば尻部の洗浄等を行うことができる。したがって、この携帯用洗浄器は、携帯して手軽に持ち運ぶことができるうえ、構造が簡単であり、安価でもある。しかも、ノズルが複数設けられているため、各ノズルを、ノズル口の構造が異なるノズルとすることにより、各ノズルから各種の噴出態様で洗浄液を噴出させる（例えば、筋状に噴出させたり、旋回流状に噴出させたりする）ことができ、各種目標等に合わせてノズルを適宜選択することができる。さらに、複数のノズルを近傍に配置しこれら複数のノズルから１つの目標に向かって洗浄液を噴出したり、複数のノズルを所定方向に向けて配置しこれら複数のノズルから一度に複数の目標に向けて洗浄液を噴出することができる。また、上記携帯用洗浄器において、上記各分岐路とこれに対応する各ノズル内の液体通路とを連通させる状態と連通させない状態に切換える切換え手段を備えている場合には、複数のノズルのうち、所望のノズルだけを選択して洗浄液を吐出することができるという利点がある。一方、本発明の携帯用洗浄器が、容器本体と、上記容器本体の首部に着脱自在に取付けられた蓋体を備え、上記容器本体の内部に、発泡成分を含有した洗浄液が収容され、上記蓋体の内部に複数の液体通路が形成されているとともに、各液体通路の先端部に対応する上記蓋体の部分にノズルが設けられ、上記蓋体に、上記各液体通路の開閉を行う手動式の開閉弁が取付けられている携帯用洗浄器を用いる場合にも、複数のノズルのうち、所望のノズルだけを選択して洗浄液を吐出することができるという利点がある。
【０００７】
本発明に用いる洗浄液としては、発泡成分を含有する錠剤等を水に添加したものが用いられる。上記錠剤としては、炭酸塩と有機酸の重量比が１：４〜４：１からなるガス発泡剤を錠剤組成物の全量に対して１０〜９０重量％含有し、界面活性剤を上記全量に対して０．０５〜１０重量％含有したものが用いられる。
【０００８】
上記ガス発泡剤は、炭酸塩と有機酸とからなるものである。上記炭酸塩としては、例えば炭酸ナトリウム，炭酸カリウム，炭酸アンモニウム，炭酸水素ナトリウム，炭酸水素カリウム，炭酸水素アンモニウム等が挙げられる。これらは一種または二種以上を混合して用いることができる。また、上記有機酸としては、例えばクエン酸，コハク酸，フマル酸，マレイン酸，シュウ酸，クロトン酸，安息香酸，乳酸，リンゴ酸，アジピン酸等が挙げられる。これらは一種または二種以上を混合して用いることができる。
【０００９】
上記炭酸塩と有機酸との配合割合は、重量比で１：４〜４：１の範囲内に設定される。好ましい配合割合は、５０倍量の水に溶解した時のｐＨが３．０〜７．０になる範囲であり、この範囲を越えると肛門部への刺激が強かったり、発泡性が損なわれたりして、本発明の効果が充分に発揮されない。炭酸塩と有機酸からなる発泡剤の配合量は、通常、この錠剤中に１０〜９０重量％の割合で配合される。
【００１０】
上記界面活性剤としては、通常、洗剤として一般に市販されている粉末状の界面活性剤が適宜用いられる。粉末状の界面活性剤を用いる理由は、この錠剤を安定的に製造するためであり、水溶液に溶解した界面活性剤は製剤の安定性上好ましくない。これら界面活性剤の種類としては、ノニオン性，アニオン性，カチオン性，両性のいずれでもよく、特にノニオン性界面活性剤およびアニオン性界面活性剤が望ましい。
【００１１】
望ましい界面活性剤の具体例としては、アルキル硫酸塩型界面活性剤，アルキルエーテル硫酸塩型界面活性剤，α−オレフィンスルホン酸塩型界面活性剤，リン酸エステル型界面活性剤，アルキルエーテルカルボン酸塩型界面活性剤，アミノ酸塩型界面活性剤（サルコシン塩型，β−アラニン塩型，グルタミン酸塩型，アスパラギン酸塩型等），スルホコハク酸塩型界面活性剤，タウリン型界面活性剤等のアニオン性界面活性剤，スルホベタイン型両性界面活性剤，アルキルベタイン型両性界面活性剤，アミドプロピルベタイン型両性界面活性剤，イミダゾリニウムベタイン型両性界面活性剤等の両性界面活性剤，ジステリアリルジメチルアンモニウムクロライド，ステアリルトリメチルアンモニウムクロライド，ジベヘニルジヒドロキシアンモニウムクロライド，ベンザルコニウムクロライド，エチル硫酸ラノリン脂肪酸アミノプロピルジメチルアンモニウム等のカチオン性界面活性剤，ポリオキシエチレンアルキルエーテル，ポリオキシプロピレンアルキルエーテル，グリセリン脂肪酸エステル，ポリグリセリン脂肪酸エステル，ソルビタン脂肪酸エステル等のノニオン性界面活性剤等が挙げられる。これらの界面活性剤は、一種または二種以上を混合して用いることができ、通常、この錠剤中に０．０５〜１０重量％配合される。０．０５重量％より少ないと洗浄性が低下し、１０重量％を越えると炭酸塩の安定性および使用後の皮膚刺激が発生するため好ましくない。
【００１２】
この錠剤は、所望により、錠剤形成に一般に配合される成分、例えばデンプン，ヒドロキシプロピルセルロース，カルボキシメチルセルロース，結晶セルロース，ポリエチレングリコール等の結合剤，塩化ナトリウム，硫酸ナトリウム等の無機塩，金属イオン封鎖剤，殺菌剤，抗炎症剤，ｐＨ調整剤，酸化防止剤，色素および香料等を含むことができる。このようにして得られた組成物は、通常用いられているダブレット成形法に従って容易に錠剤化することができる。この錠剤は、使用する際に水に添加して行われるが、その際の錠剤と水との混合重量比は１：２００〜１：１０の範囲が好ましい。この範囲外では充分な噴射力を得ることができなかったり、溶解性および圧力が異常に上昇して本発明の効果が充分に発揮されない。
【００１３】
【発明の実施の形態】
つぎに、本発明の実施の形態を図面にもとづいて説明する。
【００１４】
図１は本発明の一実施の形態を示す携帯用洗浄器の拡大断面図で、図２は平面図で、図３は正面図である。これらの図において、１は容器本体であり、２がキャップであり、３，４はキャップ２に回動自在に取付けられたノズルである。上記容器本体１は、洗浄液９が収容された胴部１ａと、外周面にねじ部１ｃが形成された首部１ｂとからなる。上記洗浄液９は、水に炭酸水素ナトリウム（ＮａＨＣＯ3 ）からなる錠剤〔この錠剤には、その表面に水溶性のＰＶＡ（ポリビニルアルコール）がコーティングされたものであり、水に入れた際にコーティングされたＰＶＡによりすぐに溶解しないようにしている〕を溶解させて得られたものであり、容器本体１の上部空間には上記洗浄液９から発泡したガス９ａが充満している。
【００１５】
上記キャップ２は、その蓋本体５に長ノズル３，短ノズル４，押しボタン６，スプリング７，弁体８を設けたもので構成されている。上記蓋本体５は、図４に示すように、有天円筒状に形成されており、その周壁の内周面に、上記容器本体１の首部１ｂのねじ部１ｃにねじ結合するねじ部５ａが形成されている。また、上記蓋本体５の天井壁５ｂの下面中央から円筒状の下側内壁２０が垂下しているとともに、この下側内壁２０の下部内周面が大径部に形成されている。また、上記下側内壁２０の中空部分に対応する上記天井壁５ｂの部分に、中央貫通穴２１が形成されており、上記天井壁５ｂの上面から、上記中央貫通穴２１と同心状に内外両壁２２，２３が立設されている。そして、これら上側外壁２２および上側内壁２３に押しボタン６が上下摺動自在に取付けられている。
【００１６】
一方、上記天井壁５ｂの内部には、中央貫通穴２１から一側（図面では、右側方向）に向かって一直線状に延びる右側通路（分岐路）２５が形成されており、この右側通路２５の先端が右側ノズル取付け部２６に開口している。この右側ノズル取付け部２６は、一横側面および下面が開放されているとともに、上壁が上向き傾斜状の傾斜壁に形成されている。また、上記右側ノズル取付け部２６の相対向する側壁２６ｂ（図５参照）に一対の係合穴２６ａが穿設されており、これら両係合穴２６ａに後述する長ノズル３のヒンジ軸３１ａが回動自在に係合している（図３参照）。また、上記天井壁５ｂの内部には、中央貫通穴２１から他側（図面では、左側方向）に向かって一直線状に延びる左側通路（分岐路）２７が形成されており、この左側通路２７の先端が左側ノズル取付け部２８に開口している。この左側ノズル取付け部２８は、一横側面および下面が開放されている。また、上記左側ノズル取付け部２８の相対向する側壁２８ｂ（図６参照）に一対の係合穴２８ａが穿設されており、これら両係合穴２８ａに後述する短ノズル４のヒンジ軸３２ａが回動自在に係合している（図３参照）。図において、２９，３０はＯリングである。
【００１７】
上記長ノズル３には、その内部に断面円形の長ノズル側通路３ａが形成されているとともに、その根元部には略３／４円弧状に形成された円盤状回動部３１が形成されている。また、この回動部３１には、その両横側面に、上記ノズル取付け部２６の係合穴２６ａに回動自在に係合する一対のヒンジ軸３１ａが突設されている。そして、長ノズル３を垂下させた状態では、上記長ノズル側通路３ａが上記天井壁５ｂの右側通路２５に連通せず、長ノズル３を所定角度回転させた状態では（図７参照）、上記長ノズル側通路３ａが、上記Ｏリング２９内に位置した状態で上記右側通路２５に連通しており、上記Ｏリング２９で上記右側通路２５から流出する洗浄液９の洩れを防止している。図１において、３ｂは長ノズル３の先端に穿設されたノズル口である。
【００１８】
一方、上記短ノズル４には、その内部に断面円形の短ノズル側通路３３が形成されており、その先端部に、図８に示すように、蓋３４が取付けられている。上記短ノズル側通路３３には、その先端部に、中央に円柱部分３６が先端開口側に向かって突設された円板３５が形成されているとともに、図９に示すように、この円板３５の一側部（図面では、右側部）に、上記円柱部分３６の一側面（図面では、右側面）から右側に延び外周部にまで至る長穴３５ａが穿設されている。一方、蓋３４は有底筒状に形成されており、図１０および図１１に示すように、その底壁３４ａの中央にノズル口３７が穿設されている。また、上記蓋３４の底壁３４ａの内側面には、図１２に示すように、外周部からノズル口３７に向かって徐々に溝幅が狭くなりながら曲線状に曲がる４本の同形状の溝３８が等間隔をあけて形成されている。これにより、短ノズル側通路３３を通る洗浄液９が上記円板３５の長穴３５ａを通ることで短ノズル側通路３３の一側（右側）に集められ、この集められた洗浄液９が上記溝３８に案内されて旋回流となりノズル口３７から噴出される。また、上記短ノズル４には、その根元部に略３／４円弧状に形成された円盤状回動部３２が形成されており、この回動部３２には、その両横側面に、上記左側ノズル取付け部２８の係合穴２８ａに回動自在に係合する一対のヒンジ軸３２ａが突設されている（図３参照）。そして、短ノズル４を垂下させた状態では、上記短ノズル側通路３３が上記天井壁５ｂの左側通路２７に連通せず、短ノズル４を所定角度（略９０°）回転させた状態では（図１３参照）、上記短ノズル側通路３３が、上記Ｏリング３０内に位置した状態で上記左側通路２７に連通しており、上記Ｏリング３０で上記左側通路２７から流出する洗浄液９の洩れを防止している。
【００１９】
また、上記押しボタン６は、有天円筒状に形成されており、その天井壁６ａの下面から、それ自体の内周面にねじ部６ｃが形成された円筒状の内壁６ｂが垂下している。一方、上記弁体８は、棒状円柱部１０と、この棒状円柱部１０の下端部から下側に向かって拡がる円錐台状部１１とからなり、上記棒状円柱部１０の上部に、上記押しボタン６の内壁６ｂのねじ部６ｃにら合するねじ部１０ａが形成されているとともに、下半部分が細径部１２に形成されている。そして、上記棒状円柱部１０が上記下側内壁２０の中空部分および天井壁５ｂの中央貫通穴２１に上下方向に摺動自在に配設されており、上記棒状円柱部１０の細径部１２の外周面と下側内壁２０の中空部分の内周面および天井壁５ｂの中央貫通穴２１の内周面との間に洗浄液の通路（液体通路）が形成されている。図４において、１３はＯリングである。
【００２０】
上記スプリング７は、上記蓋本体５の天井壁５ｂ（内壁６ｂの外周部）と押しボタン６の天井壁６ａ（内壁２３の外周部）の間に配設されており、押しボタン６を上方に弾圧付勢している。そして、上記スプリング７の弾性付勢力により押しボタン６が上方に押圧されている状態では、上記蓋本体５の下側内壁２０の下端部内周面に弁体８の円錐台状部１１の外周面が当接し、液密状態が保持されている（この当接状態が、弁体８の閉弁状態である）。また、上記スプリング７の弾圧付勢力に抗して押しボタン６を手指で押圧すると、図１４に示すように、この押しボタン６の内壁６ｂに取付けられた弁体８が下降し、上記下側内壁２０の下端部内周面から弁体８の円錐台状部１１の外周面が離れ、開弁する。
【００２１】
上記構成において、使用時には、まず、図７もしくは図１３に示すように、容器本体１を逆さまにし、ついで、一方のノズル３，４を回転させて所望の角度に設定し（この状態で上記一方のノズル３，４の通路３ａ，３３が蓋本体５の天井壁５ｂの通路２５，２７に連通する）、このノズル３，４のノズル口３ｂ，３７を尻部（図示せず）に向けて位置決めし、つぎに、押しボタン６を押すことが行われる。これにより、弁体８が開弁されて、洗浄液９が蓋本体５の下側内壁２０の中空部分，中央貫通穴２１，天井壁５ｂの通路２５，２７に流れ込んだのち、ノズル３，４の通路３ａ，３３に流れ込み、ガス９ａの圧力で押圧されてノズル口３ｂ，３７から噴出する。そして、洗浄液９で尻部が洗浄される。このとき、上記一方のノズルが長ノズル３であると洗浄液９が筋状に噴出し、短ノズル４であると洗浄液９が旋回流状に噴出する。このような１回の使用により、洗浄液９を使いきったのちは、キャップ２を取外して、容器本体１内に水を入れ、錠剤を放り込む。そして、錠剤が溶解する前にキャップ２を容器本体１に取付ける。これにより、容器本体１内の上部空間にガス９ａが充填されるようになり、次の使用に備える。
【００２２】
このように、この携帯用洗浄器は、小形であり、携帯して手軽に持ち運ぶことができる。しかも、構造が簡単であり、安価でもある。さらに、長短２種類のノズル３，４を設けて、長ノズル３から洗浄液９を筋状に噴出し、短ノズル４から洗浄液９を旋回流状に噴出することができるため、両ノズル３，４を使い分けることで、尻部の汚物等をきれいに除去することができるようになる。
【００２３】
上記の携帯用洗浄器の機能性についてテストし、噴射圧力（ｋｇ／ｃｍ2 ），噴射量（ｍｌ）および噴射時間（Ｓｅｃ）を調べた。このテストに際し、容器本体１として、直径４０ｍｍ，高さ１４０ｍｍの缶（空状態で１５８ｍｌの充填容量を有する）を用い、錠剤として炭酸水素ナトリウムとクエン酸の混合剤（このものは、ガスとして炭酸ガスを発生する）を用いた。また、缶内圧力を２ｋｇ／ｃｍ2 ，３ｋｇ／ｃｍ2 ，４ｋｇ／ｃｍ2 に設定し、それぞれの場合において、直径が０．５ｍｍ，０．６ｍｍ，０．８ｍｍの３種類の長ノズル３のノズル口３ｂから洗浄液９を噴射し、この時の噴射時間（Ｓｅｃ），残量（ｍｌ）および残ガス圧力（ｋｇ／ｃｍ2 ）を調べた。その結果を下記の表１および表２に示す。上記のような携帯用洗浄器では、その噴射量は、携帯性，使用上を考慮して１００ｍｌが好ましいと考えられており、また、噴射時間は、使用実感として３０Ｓｅｃが好ましいと考えられている。このため、上記テスト結果から、噴射圧力は３ｋｇ／ｃｍ2 程度が好ましいと考えられる。
【００２４】
【表１】
0003558456.tif 000002
【００２５】
【表２】
0003558456.tif 000003
【００２６】
図１５は本発明の他の実施の形態を示している。この実施の形態では、図１に示す弁体８に圧力調整弁１４が設けられている。このため、上記弁体８は、上記棒状円柱部４０と、円錐台状中空部４１（この円錐台状中空部４１の内周面も、下側に向かって拡がる円錐台状に形成されている）と、この円錐台状中空部４１の下端部に設けられた環状天井壁４２ａ付き円筒状部４２で構成されている。そして、上記棒状円柱部４０の下面に、それ自体の下面開口が円錐台状中空部４１の上面開口に連通している第１ガス抜き路（凹部）４３ａが形成されているとともに、この第１ガス抜き路４３ａの上端部から２本の第２ガス抜き路４３ｂが水平に延びており、両第２ガス抜き路４３ｂがそれぞれ上記棒状円柱部４０の細径部１２の外周面に開口している。
【００２７】
一方、上記上記圧力調整弁１４は、円筒状の本体１５とボール１６と圧力調整用スプリング１７からなり、上記本体１５の上部が、上記弁体８の円筒状部４２の周壁とこの円筒状部４２の環状天井壁４２ａの内周部下面から垂下する内壁との間に気密状に嵌入している。このような本体１５には、その下部に、ボール１６を落下防止状に収容する漏斗状部分１５ａが形成されているとともに、この漏斗状部分１５ａより上側部分の内周面が、上記ボール１６の直径よりやや大径に形成されている。また、上記圧力調整用スプリング１７が上記円錐台状中空部４１の内周面とボール１６の上周面との間に配設されており、上記圧力調整用スプリング１７の弾圧付勢力によりボール１６が漏斗状部分１５ａの内周面に押圧され、ボール１６の外周面が漏斗状部分１５ａの内周面に当接し、気密状態を保持している（この当接状態が、圧力調整弁１４の閉弁状態である）。このような圧力調整用スプリング１７は、その弾圧付勢力が所定値に設定されており、容器本体１内が異常高圧になる（上記所定値を越える）と、ボール１６が圧力調整用スプリング１７の弾圧付勢力に抗して上昇し、上記漏斗状部分１５ａの内周面から離れ、開弁する（図１６参照）。
【００２８】
また、上記長ノズル３には、その回動部３１の周面に１条のガス抜き溝４４が形成されている。そして、長ノズル３を垂下させた状態では、上記ガス抜き溝４４が上記右側通路２５に連通している。この状態で、上記ガス抜き溝４４はＯリング２９からはみ出ており、このガス抜き溝４４を介して上記右側通路２５が外部に連通している。一方、長ノズル３を所定角度回転させた状態では、上記ガス抜き溝４４は上記右側通路２５に連通していない。それ以外は、図１に示す実施の形態と同様であり、同様の部分には同じ符号を付している。
【００２９】
上記構成において、容器本体１の内圧が異常に上昇して設定圧力を越えると、この圧力でボール１６が上方に押圧され、圧力調整用スプリング１７の弾圧付勢力に抗して上昇し、上記漏斗状部分１５ａの内周面から離れ、開弁する。その結果、容器本体１内のガス９ａが上記本体１５の中空部分，円錐台状中空部１１の中空部分，第１ガス抜き路４３ａおよび両第２ガス抜き路４３ｂを通ったのち、蓋本体５の下側内壁２０の中空部分，中央貫通穴２１，天井壁５ｂの右側通路２５に流れ込み、長ノズル３のガス抜き溝４４から大気中に放出される。これにより、容器本体１内の圧力が設定圧力に保たれる。
【００３０】
このように、この携帯用洗浄器は、圧力調整弁１４を設けているため、容器本体１の内圧が異常に上昇することがなく、洗浄液９の噴射圧を適正に保持することができる。そのうえ、長ノズル３の回動部３１にガス抜き溝４４を設け、尻部の洗浄時にガス抜き溝４４が上記天井壁５ｂの右側通路２５に連通しないようにしているため、このガス抜き溝４４から洗浄液９が洩れることがない。また、この携帯用洗浄器は、図１に示す実施の形態と同様の作用，効果を奏する。
【００３１】
なお、上記各実施の形態では、錠剤の表面に水溶性のＰＶＡをコーティングしているが、これに限定するものではなく、糖衣等をコーティングしてもよいし、その他、溶解時間を遅延させることができるものであれば、どのようなものでもよい。このような錠剤はアルミニウム製袋に入れて持ち運ばれる。
【００３２】
【発明の効果】
以上のように、本発明の携帯用洗浄器によれば、複数のノズルのうち、所定のノズルのノズル口を尻部等の目標に向け、蓋体に取付けた開閉弁を手動で開弁するだけで、例えば尻部の洗浄等を行うことができる。したがって、この携帯用洗浄器は、携帯して手軽に持ち運ぶことができるうえ、構造が簡単であり、安価でもある。しかも、ノズルが複数設けられているため、各ノズルを、ノズル口の構造が異なるノズルとすることにより、各ノズルから各種の噴出態様で洗浄液を噴出させる（例えば、筋状に噴出させたり、旋回流状に噴出させたりする）ことができ、各種目標等に合わせてノズルを適宜選択することができる。さらに、複数のノズルを近傍に配置しこれら複数のノズルから１つの目標に向かって洗浄液を噴出したり、複数のノズルを所定方向に向けて配置しこれら複数のノズルから一度に複数の目標に向けて洗浄液を噴出することができる。また、上記携帯用洗浄器において、上記各分岐路とこれに対応する各ノズル内の液体通路とを連通させる状態と連通させない状態に切換える切換え手段を備えている場合には、複数のノズルのうち、所望のノズルだけを選択して洗浄液を吐出することができるという利点がある。一方、本発明の携帯用洗浄器が、容器本体と、上記容器本体の首部に着脱自在に取付けられた蓋体を備え、上記容器本体の内部に、発泡成分を含有した洗浄液が収容され、上記蓋体の内部に複数の液体通路が形成されているとともに、各液体通路の先端部に対応する上記蓋体の部分にノズルが設けられ、上記蓋体に、上記各液体通路の開閉を行う手動式の開閉弁が取付けられている携帯用洗浄器を用いる場合にも、複数のノズルのうち、所望のノズルだけを選択して洗浄液を吐出することができるという利点がある。
【図面の簡単な説明】
【図１】本発明の一実施の形態の携帯用洗浄器を示す拡大断面図である。
【図２】上記携帯用洗浄器の平面図である。
【図３】上記携帯用洗浄器の正面図である。
【図４】上記携帯用洗浄器の要部の拡大断面図である。
【図５】上記携帯用洗浄器の右側面図である。
【図６】上記携帯用洗浄器の左側面図である。
【図７】上記携帯用洗浄器の作用を示す断面図である。
【図８】上記携帯用洗浄器の短ノズルの要部の拡大断面図である。
【図９】上記短ノズルの要部の平面図である。
【図１０】蓋の断面図である。
【図１１】上記蓋を下から見た図である。
【図１２】上記蓋を上から見た図である。
【図１３】上記携帯用洗浄器の作用を示す断面図である。
【図１４】上記携帯用洗浄器の作用を示す要部の拡大断面図である。
【図１５】本発明の他の実施の形態を示す要部の拡大断面図である。
【図１６】上記他の実施の形態の作用を示す要部の拡大断面図である。
【符号の説明】
１  容器本体
２  キャップ
３  長ノズル
４  短ノズル
６  押しボタン
８  弁体
９  洗浄液
【図１】
0003558456.tif 000004
【図２】
0003558456.tif 000005
【図３】
0003558456.tif 000006
【図４】
0003558456.tif 000007
【図５】
0003558456.tif 000008
【図６】
0003558456.tif 000009
【図７】
0003558456.tif 000010
【図８】
0003558456.tif 000011
【図９】
0003558456.tif 000012
【図１０】
0003558456.tif 000013
【図１１】
0003558456.tif 000014
【図１２】
0003558456.tif 000015
【図１３】
0003558456.tif 000016
【図１４】
0003558456.tif 000017
【図１５】
0003558456.tif 000018
【図１６】
0003558456.tif 000019